【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】 肌に交流を通電することにより前記肌のしわ、たるみの改善などの美容効果が得られる前記交流を出力する美容器具であって、
前記交流は、基準電位を中心に、プラス側レベルの電位とマイナス側レベルの電位とで交流波形として表示する場合に、該交流波形が最大値の絶対値がそれぞれ一定の矩形波であって、前記最大値の絶対値は３．９ボルト以下であることを特徴とする美容器具。
【請求項２】  前記交流は、前記基準電位を中心に、プラス側レベルの電位とマイナス側レベルの電位とで交流波形として表示する場合に、該交流波形には、１周期の中において、第１基準時間の時間間隔で両レベルの電位の一方のレベルの電位と、他方のレベルの電位とを交互に指示する交流方形波パターンを少なくとも２回繰り返す第１の波形パターンが少なくとも２回表れることを特徴とする請求項１記載の美容器具。
【請求項３】  前記交流は、前記基準電位を中心に、プラス側レベルの電位とマイナス側レベルの電位とで交流波形として表示する場合に、該交流波形には、１周期の中において、両レベルの一方のレベルの電位を第２基準時間指示し、他方のレベルの電位を前記第２基準時間以下指示する第２の波形パターンと、前記一方のレベルの電位を前記第２基準時間以下の時間指示し、前記基準電位を前記第２基準時間以下の時間指示し、前記他方のレベルの電位を前記第２基準時間以下の時間指示する第３の波形パターンとが少なくとも１回ずつ表れることを特徴とする請求項１記載の美容器具。
【請求項４】  前記交流は、前記基準電位を中心に、プラス側レベルの電位とマイナス側レベルの電位とで交流波形として表示する場合に、該交流波形には、１周期の中において、第３基準時間の時間間隔で両レベルの電位の一方のレベルの電位と、他方のレベルの電位とを交互に指示する交流方形波パターンを少なくとも２回繰り返す第４の波形パターンと、前記一方のレベルの電位を前記第３基準時間以下の時間指示する方形波を少なくとも２回繰り返すと共に、前記他方のレベルの電位を前記第３基準時間以下の時間指示する方波形を少なくとも２回繰り返す第５の波形パターンとが少なくとも１回ずつ表れることを特徴とする請求項１記載の美容器具。
【請求項５】 前記交流は、前記基準電位を中心に、プラス側レベルの電位とマイナス側レベルの電位とで交流波形として表示する場合に、該交流波形は、１周期の中において、第１基準時間の時間間隔で両レベルの電位の一方のレベルの電位と、他方のレベルの電位とを交互に指示する交流方形波パターンを少なくとも２回繰り返す第１の波形パターンと、
両レベルの一方のレベルの電位を第２基準時間指示し、他方のレベルの電位を前記第２基準時間以下指示する第２の波形パターンと、
前記一方のレベルの電位を前記第２基準時間以下の時間指示し、前記基準電位を前記第２基準時間以下の時間指示し、前記他方のレベルの電位を前記第２基準時間以下の時間指示する第３の波形パターンと、
第３基準時間の時間間隔で両レベルの電位の一方のレベルの電位と、他方のレベルの電位とを交互に指示する交流方形波パターンを少なくとも２回繰り返す第４の波形パターンと、
前記一方のレベルの電位を前記第３基準時間以下の時間指示する波形パターンを所定時間持続する前記基準電位を挟んで少なくとも２回繰り返すと共に、前記他方のレベルの電位を前記第３基準時間以下の時間指示する波形パターンを所定時間持続する前記基準電位を挟んで少なくとも２回繰り返す第５の波形パターンとが表れ、
前記第２基準時間、及び前記第３基準時間は前記第１基準時間以上の時間に設定されていることを特徴とする請求項１記載の美容器具。
【請求項６】 前記交流は、前記基準電位を中心に、プラス側レベルの電位とマイナス側レベルの電位とで交流波形として表示する場合に、該交流波形は、１周期の中において、第１基準時間の時間間隔で両レベルの電位の一方のレベルの電位と、他方のレベルの電位とを交互に指示する交流方形波パターンを少なくとも２回繰り返す第１の波形パターンが少なくとも２回表れる波形周期が繰り返され、
両レベルの一方のレベルの電位を第２基準時間指示し、他方のレベルの電位を前記第２基準時間以下指示する第２の波形パターンと、前記一方のレベルの電位を前記第２基準時間以下の時間指示し、前記基準電位を前記第２基準時間以下の時間指示し、前記他方のレベルの電位を前記第２基準時間以下の時間指示する第３の波形パターンとが少なくとも１回ずつ表れる波形周期が繰り返され、
第３基準時間の時間間隔で両レベルの電位の一方のレベルの電位と、他方のレベルの電位とを交互に指示する交流方形波パターンを少なくとも２回繰り返す第４の波形パターンと、前記一方のレベルの電位を前記第３基準時間以下の時間指示する波形パターンを所定時間持続する前記基準電位を挟んで少なくとも２回繰り返すと共に、前記他方のレベルの電位を前記第３基準時間以下の時間指示する波形パターンを所定時間持続する前記基準電位を挟んで少なくとも２回繰り返す第５の波形パターンとが少なくとも１回ずつ表れる波形周期が繰り返され、
前記第２基準時間、及び前記第３基準時間は前記第１基準時間以上の時間に設定されていることを特徴とする請求項１記載の美容器具。
【請求項７】  前記第１基準時間は、０．４秒であることを特徴とする請求項５又は６記載の美容器具。
【請求項８】  電気を通す手袋を手に嵌め、嵌めた前記手袋を肌に接触させて、前記手袋を介して肌に通電することにより前記肌の美容効果を得る美容器具であって、両手に嵌める一対の導電性手袋と、前記導電性手袋とは電気的に接続され、請求項１ないし７のいずれか１項に記載の交流を前記導電性手袋に出力する電流制御装置とを有することを特徴とする美容器具。
【請求項９】  前記導電性手袋には、導電材として銀が含まれていることを特徴とする請求項８記載の美容器具。
【請求項１０】  前記電流制御装置は、交流出力部と、直流出力部とが設けられ、前記直流出力部には、一対の導電体が電気的に接続され、一対の前記導電体を、前記肌に接触させて、筋肉への電気刺戟となる直流電流を流すことを特徴とする請求項８又は９記載の美容器具。
【請求項１１】  前記導電体は、導電性のホルダを有し、前記ホルダに濡らした綿棒などの導電材を着脱自在に保持させて、前記導電材を肌表面に接触させて直流を流すことを特徴とする請求項１０記載の美容器具。
【手続補正２】
【補正対象書類名】明細書
【補正対象項目名】発明の名称
【補正方法】変更
【補正の内容】
【発明の名称】美容器具
【手続補正３】
【補正対象書類名】明細書
【補正対象項目名】００１８
【補正方法】変更
【補正の内容】
【００１８】
例えば、基準電位を中心に、プラス側レベルの電位とマイナス側レベルの電位とで交流波形として表示する場合に、該交流波形が最大値の絶対値がそれぞれ一定の矩形波であって、前記最大値の絶対値は３．９ボルト以下であるように形成すればよい。
また、交流波形には、１周期の中において、第１基準時間の時間間隔で両レベルの電位の一方のレベルの電位と、他方のレベルの電位とを交互に指示する交流方形波パターンを少なくとも２回繰り返す第１の波形パターンが少なくとも２回表れるように形成すればよい。
【手続補正４】
【補正対象書類名】明細書
【補正対象項目名】００１９
【補正方法】変更
【補正の内容】
【００１９】
あるいは、１周期の中において、両レベルの一方のレベルの電位を第２基準時間指示し、他方のレベルの電位を前記第２基準時間以下指示する第２の波形パターンと、前記一方のレベルの電位を前記第２基準時間以下の時間指示し、前記基準電位を前記第２基準時間以下の時間指示し、前記他方のレベルの電位を前記第２基準時間以下の時間指示する第３の波形パターンとが少なくとも１回ずつ表れるように形成すればよい。
【手続補正５】
【補正対象書類名】明細書
【補正対象項目名】００２０
【補正方法】変更
【補正の内容】
【００２０】
あるいは、１周期の中において、第３基準時間の時間間隔で両レベルの電位の一方のレベルの電位と、他方のレベルの電位とを交互に指示する交流方形波パターンを少なくとも２回繰り返す第４の波形パターンと、前記一方のレベルの電位を前記第３基準時間以下の時間指示する方形波を少なくとも２回繰り返すと共に、前記他方のレベルの電位を前記第３基準時間以下の時間指示する方波形を少なくとも２回繰り返す第５の波形パターンとが少なくとも１回ずつ表れるように形成すればよい。
【手続補正６】
【補正対象書類名】明細書
【補正対象項目名】００２１
【補正方法】変更
【補正の内容】
【００２１】
あるいは、１周期の中において、第１基準時間の時間間隔で両レベルの電位の一方のレベルの電位と、他方のレベルの電位とを交互に指示する交流方形波パターンを少なくとも２回繰り返す第１の波形パターンと、両レベルの一方のレベルの電位を第２基準時間指示し、他方のレベルの電位を前記第２基準時間以下指示する第２の波形パターンと、前記一方のレベルの電位を前記第２基準時間以下の時間指示し、前記基準電位を前記第２基準時間以下の時間指示し、前記他方のレベルの電位を前記第２基準時間以下の時間指示する第３の波形パターンと、第３基準時間の時間間隔で両レベルの電位の一方のレベルの電位と、他方のレベルの電位とを交互に指示する交流方形波パターンを少なくとも２回繰り返す第４の波形パターンと、前記一方のレベルの電位を前記第３基準時間以下の時間指示する波形パターンを所定時間持続する前記基準電位を挟んで少なくとも２回繰り返すと共に、前記他方のレベルの電位を前記第３基準時間以下の時間指示する波形パターンを所定時間持続する前記基準電位を挟んで少なくとも２回繰り返す第５の波形パターンとが表れ、前記第２基準時間、及び前記第３基準時間は前記第１基準時間以上の時間に設定されているように形成すればよい。
あるいは、１周期の中において、第１基準時間の時間間隔で両レベルの電位の一方のレベルの電位と、他方のレベルの電位とを交互に指示する交流方形波パターンを少なくとも２回繰り返す第１の波形パターンが少なくとも２回表れる波形周期が繰り返され、両レベルの一方のレベルの電位を第２基準時間指示し、他方のレベルの電位を前記第２基準時間以下指示する第２の波形パターンと、前記一方のレベルの電位を前記第２基準時間以下の時間指示し、前記基準電位を前記第２基準時間以下の時間指示し、前記他方のレベルの電位を前記第２基準時間以下の時間指示する第３の波形パターンとが少なくとも１回ずつ表れる波形周期が繰り返され、第３基準時間の時間間隔で両レベルの電位の一方のレベルの電位と、他方のレベルの電位とを交互に指示する交流方形波パターンを少なくとも２回繰り返す第４の波形パターンと、前記一方のレベルの電位を前記第３基準時間以下の時間指示する波形パターンを所定時間持続する前記基準電位を挟んで少なくとも２回繰り返すと共に、前記他方のレベルの電位を前記第３基準時間以下の時間指示する波形パターンを所定時間持続する前記基準電位を挟んで少なくとも２回繰り返す第５の波形パターンとが少なくとも１回ずつ表れる波形周期が繰り返され、前記第２基準時間、及び前記第３基準時間は前記第１基準時間以上の時間に設定されているように形成すればよい。
あるいは、前記第１基準時間は、０．４秒であるように形成すればよい。
【手続補正７】
【補正対象書類名】明細書
【補正対象項目名】００２２
【補正方法】変更
【補正の内容】
【００２２】
かかる構成の本発明の美容用交流波形は、実際の生体に現れる生体電流に極力類似させられており、肌に安全に、且つ使用者が危惧を抱かずに使用 できる微弱電流であればよい。例えば、銀を導電材として含有させた導電性手袋では、顔などの敏感な肌部分に対しては ０．３〜 １．２Ｖ、ボディなどの比較的表皮が厚い部分に対しては、 ０．９〜 ３．９Ｖの電圧で、５００ Ａ以下の通電条件で電流刺戟を与えればよい。
【手続補正８】
【補正対象書類名】明細書
【補正対象項目名】００２３
【補正方法】変更
【補正の内容】
【００２３】
下限を ０．３Ｖ、あるいは ０．９Ｖ以上に設定したのは、それ未満では美容効果の発現に有意の差異が認められないためである。また、上限を １．２Ｖ、あるいは ３．９Ｖに設定したのは、使用者が強い電気刺戟と感ずることなく、十分に安心して使用できる値だからである。